(57)【要約】【課題】  屋内吹抜け空間の高所へのシーリングファンの設置や、そのメンテナンス、交換、撤去等を容易に行うことができる、シーリングファンの設置構造を提供する。【解決手段】  屋内の吹抜け空間２の高所にシーリングファン６が備えられると共に、該吹抜け空間２の天井部５に屋根７上に開口可能な開口部８が備えられ、シーリングファン６が屋根７上から該開口部８を通じて屋外に取り出せるように設置されている。【選択図】      図１
2005180063.tif 000002
【特許請求の範囲】
【請求項１】
屋内の吹抜け空間の高所にシーリングファンが備えられると共に、該吹抜け空間の天井部に屋根上に開口可能な開口部が備えられ、シーリングファンが屋根上から該開口部を通じて屋外に取り出せるように設置されていることを特徴とする屋内吹抜け空間におけるシーリングファンの設置構造。
【請求項２】
シーリングファンにショルダー部が備えられると共に、前記開口部に受けが備えられ、
シーリングファンは、ショルダー部が下から受けに支えられて吹抜け空間の高所に設置されている一方、ショルダー部を受けから上昇させることで開口部を通じて屋根上に取り出せるようになされている請求項１に記載の屋内吹抜け空間におけるシーリングファンの設置構造。
【請求項３】
前記開口部が、採光用及び／又は換気用の開口部である請求項１又は２に記載の屋内吹抜け空間におけるシーリングファンの設置構造。
【発明の詳細な説明】
【技術分野】
【０００１】
本発明は、建物の屋内吹抜け空間におけるシーリングファンの設置構造に関する。
【背景技術】
【０００２】
天井扇とも称されているシーリングファンが、屋内の空気を循環させたり、換気したりする目的で設置されることがある。しかしながら、階段室や玄関等の吹抜け空間では、シーリングファンが直下の床面よりもかなり高い位置に設置されることから、足場の確保が難しく、シーリングファンを設置したり、設置後にシーリングファンのメンテナンスを行ったり、あるいは、シーリングファンの交換や撤去を行うのが容易ではないという問題があった。
【発明の開示】
【発明が解決しようとする課題】
【０００３】
本発明は、上記のような問題点に鑑み、屋内吹抜け空間の高所へのシーリングファンの設置や、そのメンテナンス、交換、撤去等を容易に行うことができる、シーリングファンの設置構造を提供することを課題とする。
【課題を解決するための手段】
【０００４】
上記の課題は、屋内の吹抜け空間の高所にシーリングファンが備えられると共に、該吹抜け空間の天井部に屋根上に開口可能な開口部が備えられ、シーリングファンが屋根上から該開口部を通じて屋外に取り出せるように設置されていることを特徴とする屋内吹抜け空間におけるシーリングファンの設置構造によって解決される。
【０００５】
この構造では、屋根上を足場とし、屋根上から、吹抜け空間の天井部に設けられた開口部を通じることによって、シーリングファンを吹抜け空間の高所に容易に設置することができ、また、設置後のシーリングファンのメンテナンスや交換、撤去も、屋根上から容易に行うことができる。
【０００６】
上記の構造において、シーリングファンにショルダー部が備えられると共に、前記開口部に受けが備えられ、
シーリングファンは、ショルダー部が下から受けに支えられて吹抜け空間の高所に設置されている一方、ショルダー部を受けから上昇させることで開口部を通じて屋根上に取り出せるようになされているのもよい。
【０００７】
この構造では、屋根の上から開口部を通じて、シーリングファンのショルダー部を開口部側の受けに支えさせるようにすることで、シーリングファンを容易に設置することができ、また、シーリングファンの取外しを行う場合も、屋根上から開口部を通じてシーリングファン側のショルダー部を受けから上昇させ、シーリングファンを屋根上に取り出せばよく、シーリングファンのメンテナンスや交換、撤去を容易に行うことができる。
【０００８】
上記の構造において、開口部が、採光用及び／又は換気用の開口部であるのもよい。この場合は、シーリングファン設置用の開口部に、採光及び／又は換気の機能を併せもたせることにより、そのような開口部を建物に備えさせることへのためらいをなくすことができ、屋内吹抜け空間の高所へのシーリングファンの設置の普及を図ることができる。
【発明の効果】
【０００９】
本発明は、以上のとおりのものであるから、屋内吹抜け空間の高所へのシーリングファンの設置や、そのメンテナンス、交換、撤去等を容易に行うことができる。
【発明を実施するための最良の形態】
【００１０】
次に、本発明の実施最良形態を図面に基づいて説明する。
【００１１】
図１に示す住宅等の二階建て建物１は、小屋裏空間２ａが屋内に開放されて二階４の天井部５が傾斜天井に形成され、該傾斜天井部５の傾斜方向上方側が、一階３と二階４をつなぐ階段室２ｂに面する態様の吹抜け空間２を備えている。そして、この吹抜け空間２の高所である二階の傾斜天井部５付近にシーリングファン６が備えられ、図２に示すように、傾斜天井部５には、シーリングファン６の直上部において、屋根７の上に開口可能な開口部８が設けられ、シーリングファン６が、屋根７の上から開口部８を通じて屋外に取り出せるように設置されている。
【００１２】
即ち、開口部８には、図３に示すように、内周面が傾斜天井面５から連続するように立ち上がり、そして、屋根面７よりも上方に突出する雨仕舞いを兼ねた筒状の立ち上がり９が備えられ、この筒状立ち上がり９の内周部の所定の高さ位置に、受け１０が下地１１に止め付けられて内方突出状態に備えられている。
【００１３】
一方、シーリングファン６は、モーター等の内蔵された基部６ａに脚部６ｂが垂下状態に備えられると共に、脚部６ｂの先端部にブレード６ｃが備えられたもので、基部６ａには、周縁部１２ａを前記受け１０に受けさせるショルダー部とする板状の設置用取付けベース１２が一体的に取り付けられている。
【００１４】
そして、取付けベース１２の備えられたシーリングファン６は、図３及び図４に示すように、屋根７の上から、筒状立ち上がり９内に入れられ、取付けベース１２のショルダー部１２ａを筒状立ち上がり９内の受け１０に受けさせ、ショルダー部１２ａを上からビス１３（図２参照）等で受け１０に止め付けることで、ブレード６ｃが傾斜天井面５よりも下方に突出して吹抜け空間２の高所に設置されている。なお、取付けベース１２には、通風、採光用のスリット１２ｂが備えられ、取付けベース１２を挟む一方の側と他方の側とが連通されている。
【００１５】
本実施形態では、シーリングファン６のブレード６ｃは、図示するような開いた状態で、屋根７の上から筒状立ち上がり９内を通じて吹抜け空間２の高所に設置することができるサイズに設計されているが、ブレード６ｃが、例えば、脚部６ｂに沿うように折りたたむことができる構造形式のものなどである場合には、ブレード６ｃのサイズに特段の制限はない。本発明におけるシーリングファンは、開口部８を通じて屋根７の上と吹抜け空間２の高所とを行き来させることができるようなものであればよい。
【００１６】
また、本実施形態では、図４及び図２に示すように、側面部に通風用のガラリ部１４ａを備えた換気用筒体１４が屋根７上から筒状立ち上がり９に嵌め付けられると共に、換気用筒体１４の上端開口部に採光用の蓋体１５が取り付けられ、開口部８を通じて屋内の換気と屋内への採光が行われるようになされている。
【００１７】
なお、図示しないが、換気用筒体１４のガラリ部１４ａにシャッター手段を設けておくのもよい。その場合に、シャッター手段は、シーリングファン６を駆動すると、それに連動してガラリ部１４ａを開き、シーリングファン６の駆動を停止するとガラリ部１４ａを閉じる連繋的な制御が行われるようになされていてもよいし、屋内空気を循環させる循環モードと換気モードとの切換えによってガラリ部１４ａが開閉する制御が行われるようになされていてもよいし、もちろん、シーリングファン６の駆動と連動せずにガラリ部１４ａを個別に開閉させることができるようになされているのもよい。また、取付けベース１２のスリット１２ｂも開閉されるようになされているのもよい。
【００１８】
上記の構造では、シーリングファン６の設置は、屋根７の上を足場とし、屋根７の上から、吹抜け空間２の傾斜天井部５に設けられた開口部８ないし筒状立ち上がり９を通じて、シーリングファン６を入れ、取付けベース１２のショルダー部１２ａを開口部８の受け１０に受けさせ、そして、ビス１３等で止めるというようにして、下向き作業で容易に行うことができる。その場合に、シーリングファン６と換気用筒体１４とは、いずれが先に設置されてもよい。
【００１９】
こうして屋内吹抜け空間２の高所に設置されたシーリングファン６を駆動することにより屋内空気の循環や換気に用いられ、また、採光用の蓋体１５を通じて屋内に光が取り入れられる。
【００２０】
そして、シーリングファン６の設置後のメンテナンスや、交換、撤去等の際のシーリングファン６の取外しは、屋根７の上を足場とし、屋根７の上から、採光用蓋体１５を開き、必要に応じて換気用の筒体１４を取り外し、そして、取付けベース１２のビス１３…を抜き、取付けベース１２をシーリングファン６とともに屋根７の上に取り出せばよく、下向き作業で容易に行うことができる。
【００２１】
以上に、本発明の実施形態を示したが、本発明はこれに限られるものではなく、発明思想を逸脱しない範囲で各種の変更が可能である。例えば、上記の実施形態では、小屋裏空間開放部２ａと階段室２ｂとで構成される吹抜け空間に適用した場合を示しているが、小屋裏が開放されていない階段室、玄関、リビング等における吹抜け空間において用いられてもよいし、また、小屋裏空間が開放された最上階居室を吹抜け空間としてそこに用いられてもよい。
【００２２】
また、上記の実施形態では、ショルダー部を受けに支えさせる形式でシーリングファンを取り付ける構造を示しているが、その他の取付け構造が採用されてもよい。
【００２３】
更に、上記の実施形態では、開口部８を、シーリングファン６の設置や取外しに用いるほか、換気用として、更には採光用として用いる場合を示しているが、開口部から換気と採光のいずれか一方又は両方の機能が省略されていてもよい。また、開口部８の形態についても、上記のような筒状の立ち上がり９を採用するものに限らず、種々の形態が採用されてよい。
【図面の簡単な説明】
【００２４】
【図１】実施形態の設置構造を採用する建物の断面正面図である。
【図２】シーリングファンの設置部分を拡大して示す断面正面図である。
【図３】シーリングファンの取付け方法を示す断面正面図である。
【図４】換気用筒体と蓋体の取付け方法を示す断面正面図である。
【符号の説明】
【００２５】
１…建物
２…空間
５…傾斜天井部（天井部）
６…シーリングファン
７…屋根
８…開口部
１０…受け
１２ａ…ショルダー部
１４…換気用筒体
１５…採光用蓋体
【図１】
2005180063.tif 000003
【図２】
2005180063.tif 000004
【図３】
2005180063.tif 000005
【図４】
2005180063.tif 000006